(57)【要約】【課題】  車輪等の走行装置にて支持され且つエンジン４を搭載した走行機体１に、作業者が着座する操縦座席６と、この操縦座席から作業者が離れたとき前記エンジンを停止作動するか、或いは、前記走行機体に装着した各種作業機を停止作動するようにした座席スイッチ３１とを設けて成る乗用型走行農作業機において、前記操縦座席の部分における高さ寸法を縮小するとともに、構造の簡単化を図る。【解決手段】  前記操縦座席６を、前記走行機体に前後方向に移動可能に装着した座席支持用ブラケット２７の上面に、当該操縦座席における前端部を中心にしてはね上げ回動可能に装着２８し、前記座席支持用ブラケットに、作業者が前記操縦座席に着座したとき操縦座席が接当する座席受け体３０と、前記操縦座席を前記座席受け体から浮かせるように付勢する浮かせばね手段２９と、前記座席スイッチ３１とを横方向に並べて設ける。【選択図】                    図４
2005192529.tif 000002
【特許請求の範囲】
【請求項１】
車輪等の走行装置にて支持され且つエンジンを搭載した走行機体に、少なくとも、作業者が着座する操縦座席と、この操縦座席から作業者が離れたとき前記エンジンを停止作動するか、或いは、前記走行機体に装着した各種作業機を停止作動するようにした座席スイッチとを設けて成る乗用型走行農作業機において、
前記操縦座席を、前記走行機体に前後方向に移動可能に装着した座席支持用ブラケットの上面に、当該操縦座席における前端部を中心にしてはね上げ回動可能に装着し、前記座席支持用ブラケットに、作業者が前記操縦座席に着座したとき操縦座席が接当する座席受け体と、前記操縦座席を前記座席受け体から浮かせるように付勢する浮かせばね手段と、前記座席スイッチとを横方向に並べて設けたことを特徴とする乗用型走行農作業機における座席装置。
【請求項２】
前記請求項１の記載において、前記座席受け体を、前記操縦座席における後端部の左右両側に配設する一方、前記浮かせばね手段と前記座席スイッチとを、前記操縦座席における左右両側面のうち一方の側面側に配設することを特徴とする乗用型走行農作業機における座席装置。
【請求項３】
前記請求項１又は２の記載において、前記座席受け体及び浮かせばね手段を、前記操縦座席における後端部よりの部位に配設する一方、前記座席スイッチを、前記操縦座席における前端部よりの部位に配設することを特徴とする乗用型走行農作業機における座席装置。
【発明の詳細な説明】
【技術分野】
【０００１】
本発明は、トラクター又は乗用型走行芝刈り機等の乗用型走行農作業機において、これを操縦する作業者がその走行機体に搭乗して座るための操縦座席装置に関するものである。
【背景技術】
【０００２】
先行技術としての特許文献１は、乗用型走行芝刈り機において、これを操縦操作する作業者がその操縦座席から離れたとき、芝刈り作業を自動的に停止することによって安全性を確保するようにした座席装置を提案している。
【０００３】
そして、この先行技術は、具体的には、操縦座席を、その前端部を走行機体に対して枢着することにより、はね上げ回動可能に構成する一方、前記走行機体側に、前記操縦座席に作業者が着座したとき当該操縦座席が接当するスイッチ取付け部材を主ばね手段にて弾性的に支持し、このスイッチ取付け部材に、前記操縦座席を、当該スイッチ取付け部材から浮かせるように付勢する副ばね手段と、前記操縦座席が前記副ばね手段に抗して前記スイッチ取付け部材に接当するまで下降回動したとき作動する座席スイッチとを設けて、この座席スイッチの作動によって、芝刈り作業を自動的に停止するという構成にしている。      
【特許文献１】特開２００１−２１１７１９号公報
【発明の開示】
【発明が解決しようとする課題】
【０００４】
しかし、先行技術は、前記したように、操縦座席に作業者が着座したときこの操縦座席が接当するスイッチ取付け部材を、走行機体に対して主ばね手段を介して弾性的に支持し、このスイッチ取付け部材に、副ばね手段と座席スイッチとを設けるという構成であって、前記スイッチ取付け部材に加えて二つのばね手段を必要とするから、構造が複雑であるという問題がある。
【０００５】
これに加えて、主ばね手段の上にスイッチ取付け部材が設けられ、このスイッチ取付け部材の上に副ばね手段が設けられるというように、前記スイッチ取付け部材と、二つのばね手段とが上下に方向に並ぶという構成であることにより、走行機体から操縦座席までの高さが高くなるから、前記操縦座席の下部に、前記スイッチ取付け部材等の以外の部品を配設することができず、換言すると、前記操縦座席の下部を、前記スイッチ取付け部材等の以外の部品を配設することに利用できないという問題があった。
【０００６】
本発明は、これらの問題を、操縦座席を走行機体の前後方向に移動可能に構成した状態のもとで、解消することを技術的課題とするものである。
【課題を解決するための手段】
【０００７】
この技術的課題を達成するため本発明の請求項１は、
「車輪等の走行装置にて支持され且つエンジンを搭載した走行機体に、少なくとも、作業者が着座する操縦座席と、この操縦座席から作業者が離れたとき前記エンジンを停止作動するか、或いは、前記走行機体に装着した各種作業機を停止作動するようにした座席スイッチとを設けて成る乗用型走行農作業機において、
前記操縦座席を、前記走行機体に前後方向に移動可能に装着した座席支持用ブラケットの上面に、当該操縦座席における前端部を中心にしてはね上げ回動可能に装着し、前記座席支持用ブラケットに、作業者が前記操縦座席に着座したとき操縦座席が接当する座席受け体と、前記操縦座席を前記座席受け体から浮かせるように付勢する浮かせばね手段と、前記座席スイッチとを横方向に並べて設けた。」
ことを特徴としている。
【０００８】
また、本発明の請求項２は、
「前記請求項１の記載において、前記座席受け体を、前記操縦座席における後端部の左右両側に配設する一方、前記浮かせばね手段と前記座席スイッチとを、前記操縦座席における左右両側面のうち一方の側面側に配設する。」
ことを特徴としている。
【０００９】
更にまた、本発明の請求項３は、
「前記請求項１又は２の記載において、前記座席受け体及び浮かせばね手段を、前記操縦座席における後端部よりの部位に配設する一方、前記座席スイッチを、前記操縦座席における前端部よりの部位に配設する。」
ことを特徴としている。
【発明の効果】
【００１０】
前記請求項１に記載したように構成することにより、操縦座席を、走行機体における前後方向に移動できるものでありながら、座席受け体、浮かせばね手段及び座席スイッチを横方向に並べた分だけ高さを低くできるから、前記操縦座席の下部を、他の部品等を配設することに有効に利用できるとともに、構造を簡単化できる。
【００１１】
また、請求項２に記載したように構成することにより、前記操縦座席の下部により大きな空間を形成できるから、前記操縦座席の下部に他の部品等を配設することの効果を更に助長できる。
【００１２】
更にまた、請求項３に記載したように構成することにより、座席スイッチの感度を鈍らせることができるから、走行作業中に、操縦座席が振動とか揺れ等にて浮き上がることで作業が不測に停止することを回避できる利点がある。
【発明を実施するための最良の形態】
【００１３】
以下、本発明の実施の形態を、乗用型の芝刈り機に適用した場合を示す図１〜図５の図面について説明する。
【００１４】
この図において、符号１は、前後方向に延びる左右一対のサイドフレーム１ａ，１ｂにて構成した走行機体を示し、この走行機体１は、左右一対の前車輪２と、同じく左右一対の後車輪３とで支持され、且つ、この走行機体１の前部上面には、エンジン４が搭載されているとともに、前記両前車輪２を同時に回動するように舵取りするための操縦ハンドル５が設けられ、また、前記走行機体１の後部上面には、作業者が座る操縦座席６が、後述する構造にて前後方向に移動するように設けられている。
【００１５】
更にまた、前記走行機体１の上面には、前記両後車輪３の上部、当該走行機体１のうち前記操縦座席６における左右両側の部分及び後ろ側の部分並びに前側における足元部分をを覆うフェンダカバー体ー７が設けられ、このフェンダカバー体７には、前記エンジン４に対するボンネットカバー８が開閉可能に設けられている。
【００１６】
前記両後車輪３は、前記走行機体１における両サイドフレーム１ａ，１ｂの外側面に上下方向に延びるように固着した左右一対のブラケット部材９ａ，９ｂにおける下端の外側に装着されており、前一対のブラケット部材９ａ，９ｂは、門型の枠体に構成されている。
【００１７】
一方、前記両前車輪２は、前記走行機体１における前部下面のうち平面視において走行機体１における横幅方向の中心線上の部位に中央部をセンターピン１０にて上下方向に回動自在に枢着したフロントアクスル１１の両端に、水平方向に旋回自在に枢着され、また、この両前車輪２を、前記操縦ハンドル５にて同時に同じ方向に旋回回動することにより、舵取りするように構成されている。
【００１８】
前記走行機体１における下面側で、且つ、前記両前車輪２と両後車輪３との間には、左右一対の回転式刈取り羽根１２ａを備えたロータリーモア１２が、左右一対の前部リンク１３と、後部リンク１４とにより上下動可能に装着され、且つ、前記操縦座席６の右側に配設した昇降レバー１５の回動によって、上下動するように構成されている。
【００１９】
前記エンジン４における一方の出力軸４ａを、エンジン４から前向きに、他方の出力軸４ｂを、エンジン４から後ろ向きに各々突出し、前記前向きに突出する一方の出力軸４ａの回転を、前記走行機体１の前部で且つ前記センターピン１０より上側に前後方向に延びるように軸支した中間軸１６にベルト１７にて動力伝達し、この中間軸１６の回転を、前記ロータリーモア１２に、両端に自在軸継手を備えた伸縮式の動力伝達軸１８を介して動力伝達することにより、両刈取り羽根１２ａを、図２に点線矢印で示すように、互いに逆方向に回転するように構成する。
【００２０】
また、前記走行機体１における後部下面側には、前記両刈取り羽根１２ａにて刈った刈芝を後方に排出する刈芝排出ダクト１９が、前記両後車輪３間、正確には後車輪３が取付く左右一対のブラケット部材９ａ，９ｂの間を後方に延びるように設けられている。
【００２１】
そして、前記刈芝排出ダクト１９の上部で、且つ、前記操縦座席６の下部の部位に、前記エンジン４の回転を適宜変速して前記両後車輪３に伝達するするための走行ミッション機構２０を、当該走行ミッション機構２０への縦向きの入力軸２１が上向きに突出するように配設して、この走行ミッション機構２０の左右両側より横外向きに突出する出力軸２０ａ，１０ｂから前記両後車輪３に対して無端チエン２２にて動力伝達するように構成され、前記入力軸２１の上端には、送風羽根車２３を設け、この送風羽根車２３を前記操縦座席６の下面に近接した部位に位置することにより、前記操縦座席６の周辺の空気を吸い込んで前記走行ミッション機構２０に向かって下向きの気流を発生するように構成している。
【００２２】
前記走行ミッション機構２０には、前記エンジン４における後向きの他方の出力軸４ｂからの動力を、両端に自在軸継ぎ手を備えた伸縮式の動力伝達軸２４を介して入力するように構成している。
【００２３】
この走行ミッション機構２０は、その両端部を、前記両サイドフレーム１ａ，１ｂのうち前記門型枠体のブラケット部材９ａ，９ｂ内の部分における上面に載せて、ボルト３４にて締結することによって、前記走行機体１に搭載されている。
【００２４】
前記両後車輪３が取付く前記一対の両ブラケット部材９ａ，９ｂにおける上部の内側に、断面Ｌ型の受け部材２５ａ，２５ｂを複数本のボルト３５にて着脱可能に取付け、この両受け部材２５ａ，２５ｂの上面には、その各々に前後方向に延びるレール２６を設けて、この一対のレール２６にて座席支持用ブラケット２７を、前後方向に移動自在に支持して、この座席支持用ブラケット２７の前端に、前記操縦座席６の先端をピン２８にて回動自在に枢着することにより、前記操縦座席６を、前後方向に移動調節可能に構成するとともに、図４に二点鎖線で示すように大きくはね上げ回動できるように構成している。
【００２５】
前記座席支持用ブラケット２７には、作業者が前記操縦座席６に着座していないとき、前記操縦座席６を、図４に一点鎖線で示すように少しだけ浮き上げ回動するようにした浮かせばね手段２９を設けるとともに、前記操縦座席６に作業者が着座したとき、この操縦座席６が前記浮かせばね手段２９に抗して実線で示す位置まで下げ回動して接当するようにした弾性体製の座席受け体３０が設けられている。
【００２６】
更に、前記座席支持用ブラケット２７には、前記操縦座席６が前記浮かせばね手段２９に抗して前記座席受け体３０に接当する位置まで下げ回動したときＯＮ又はＯＦＦに作動する座席スイッチ３１を設けて、この座席スイッチ３１のＯＮ又はＯＦＦ作動により、前記エンジン４を始動するか、エンジン４から前記後車輪３及び前記ロータリーモア１２への動力伝達をＯＮにし、作業者が操縦座席６から離れたとき、当該操縦座席６の後部が前記浮かせばね手段２９にて前記座席受け体３０から浮き上がり、前記座席スイッチ３１がＯＦＦ又はＯＮ作動して、前記エンジン４の運転を停止するか、エンジン４から前記後車輪３及び前記ロータリーモア１２への動力伝達を自動的にＯＦＦにするように構成する。      
【００２７】
つまり、作業者が操縦座席６から離れると前記エンジン４を停止するか、或いは、前記エンジン４から前記両後車輪３及びロータリーモア１２のうちいずれか一方又は両方への動力伝達を自動的に遮断するように構成している。
【００２８】
この場合において、前記座席受け体３０、前記浮かせばね手段２９及び前記座席スイッチ３１の三者は、横方向に並べられており、これら三者のうち前記座席受け体３０は、平面視において、前記操縦座席６における後端部の左右両側に一つずつ配設されており、また、前記三者のうち浮かせばね手段２９及び座席スイッチ３１は、平面視において、前記操縦座席６における左右両側面のうち一方の側面側に一列状に並べ、且つ、前記座席スイッチ３１が前記操縦座席６における枢着ピン２８に近い部位に位置するようにして配設されている。
【００２９】
このように、前記操縦座席６に対する座席受け体３０、浮かせばね手段２９及び座席スイッチ３１の三者を、前記操縦座席６が支持する座席支持用ブラケット２７に横方向に並べて配設したことにより、操縦座席６を、走行機体１における前後方向に移動できるものでありながら、座席受け体３０、浮かせばね手段２９及び座席スイッチ３１を横方向に並べた分だけ高さを低くできる。
【００３０】
また、前記座席受け体３０を、前記操縦座席６における後端部の左右両側に配設する一方、前記浮かせばね手段２９と前記座席スイッチ３１とを、前記操縦座席６における左右両側面のうち一方の側面側に配設したことにより、前記操縦座席６の下部により大きな空間を形成できて、この空間に、例えば、前記走行ミッション機構２０に対する送風羽根車２３等のような他の部品等を配設することができる。
【００３１】
更にまた、前記座席受け体３０及び浮かせばね手段２９を、前記操縦座席６における後端部よりの部位に配設する一方、前記座席スイッチ３１を、前記操縦座席６における前端部の枢着ピン２８よりの部位に配設したことにより、前記座席スイッチ３１が、前記操縦座席６の浮き上がりにて作動するときにおける感度を鈍らせることができる。
【００３２】
なお、前記実施の形態においては、前記操縦座席６における座席支持用ブラケット２７には、その後端部に、前記フェンダカバー体７の下側に差し込むようにした後ろカバー板３２が設けられいるとともに、その前端部に、同じく前記フェンダカバー体７の下側に差し込むようにした前カバー板３３が設けられている。
【図面の簡単な説明】
【００３３】
【図１】本発明の実施の形態を示す側面図である。
【図２】図１の平面図である。
【図３】図１のIII −III 視拡大断面図である。
【図４】図３のIV−IV視断面図である。
【符号の説明】
【００３４】
１                      走行機体
１ａ，１ｂ              サイドフレーム
２                      前車輪
３                      後車輪
４                      エンジン
５                      操縦ハンドル
６                      操縦座席
７                      フェンダカバー体
９ａ，９ｂ              ブラケット部材
２０                    走行ミッション機構
２５ａ，２５ｂ          受け部材
２６                    レール
２７                    座席支持用ブラケット
２８                    枢着ピン
２９                    浮かせばね手段
３０                    座席受け体
３１                    座席スイッチ
【図１】
2005192529.tif 000003
【図２】
2005192529.tif 000004
【図３】
2005192529.tif 000005
【図４】
2005192529.tif 000006